(57)【要約】【課題】還元剤供給装置１において、エンジン停止後の還元剤添加弁５の温度上昇を抑制し、冷媒の気化、変性を回避することにある。【解決手段】還元剤供給装置１によれば、ＥＣＵ６は、エンジン停止後も、還元剤供給ポンプ３を作動させてジャケット１４に冷媒を供給させ、還元剤添加弁５を冷却する。これにより、エンジン停止後も、低温の冷媒がジャケット１４に流入することができるとともに、高温になった冷媒がジャケット１４から流出することができる。このため、還元剤供給装置１において、エンジン停止後の還元剤添加弁５の温度上昇を抑制し、冷媒の気化、変性を回避することができる。【選択図】図１
2008169711.tif 000002
【特許請求の範囲】
【請求項１】
エンジンからの排ガスに還元剤を供給する還元剤供給装置において、
所定のタンクから還元剤を吸引して吐出する還元剤供給ポンプと、
排ガスが通る排気管に装着され、前記還元剤供給ポンプから吐出された還元剤を前記排気管の内部に噴射するとともに、冷媒による冷却を受ける還元剤添加弁と、
この還元剤添加弁に冷媒を循環する冷媒循環手段と、
前記エンジンの停止後の所定の期間に、前記冷媒循環手段を作動させて制御する制御手段とを備える還元剤供給装置。
【請求項２】
請求項１に記載の還元剤供給装置において、
前記還元剤添加弁と前記冷媒循環手段との間を循環する冷媒の温度を検出する冷媒温度検出手段を備え、
前記制御手段は、前記エンジンの停止後に前記冷媒温度検出手段から得られる検出値に基づいて、前記冷媒循環手段による冷媒の循環を停止することを特徴とする還元剤供給装置。
【請求項３】
請求項２に記載の還元剤供給装置において、
前記冷媒温度検出手段は、前記還元剤添加弁の出側の循環路で冷媒の温度を検出することを特徴とする還元剤供給装置。
【請求項４】
請求項２または請求項３に記載の還元剤供給装置において、
前記制御手段は、前記冷媒温度検出手段から得られる検出値が所定の目標値よりも低くなったら、前記冷媒循環手段による冷媒の循環を停止することを特徴とする還元剤供給装置。
【請求項５】
請求項２または請求項３に記載の還元剤供給装置において、
前記制御手段は、前記冷媒温度検出手段から得られる検出値が所定の目標値に略一致するように、前記冷媒循環手段による冷媒の循環を制御することを特徴とする還元剤供給装置。
【請求項６】
請求項１に記載の還元剤供給装置において、
前記還元剤添加弁と前記冷媒循環手段との間を循環する冷媒の温度を検出する冷媒温度検出手段を備え、
前記制御手段は、前記冷媒温度検出手段から得られる検出値に基づいて前記エンジンの停止後に前記冷媒循環手段による冷媒の循環を停止する時期を設定することを特徴とする還元剤供給装置。
【請求項７】
請求項６に記載の還元剤供給装置において、
前記制御手段は、前記冷媒温度検出手段から得られる少なくとも２つの検出値に基づいて検出値の推移を予測し、この予測の結果に応じて前記冷媒循環手段による冷媒の循環を停止する時期を設定することを特徴とする還元剤供給装置。
【請求項８】
請求項７に記載の還元剤供給装置において、
前記冷媒温度検出手段から得られる検出値の推移を予測する際に用いる検出値の少なくとも１つは、前記エンジンの停止前の検出値であることを特徴とする還元剤供給装置。
【請求項９】
請求項６ないし請求項８のいずれか１つに記載の還元剤供給装置において、
前記冷媒温度検出手段は、前記還元剤添加弁の出側の循環路で冷媒の温度を検出することを特徴とする還元剤供給装置。
【請求項１０】
請求項１に記載の還元剤供給装置において、
前記エンジンの回転数を検出するエンジン回転数検出手段と、
前記エンジンに供給される空気量を検出する空気量検出手段とを備え、
前記制御手段は、前記エンジン回転数検出手段から得られる検出値、および前記空気量検出手段から得られる検出値に基づいて、前記エンジンの停止後に前記還元剤添加弁と前記冷媒循環手段との間を循環する冷媒の温度の推移を予測し、この予測の結果に応じて、前記冷媒循環手段による冷媒の循環を停止する時期を設定することを特徴とする還元剤供給装置。
【請求項１１】
請求項１に記載の還元剤供給装置において、
冷媒による前記還元剤添加弁からの除熱量を検出する除熱量検出手段を備え、
前記制御手段は、前記除熱量検出手段から得られる検出値に基づいて、前記エンジンの停止後に前記還元剤添加弁と前記冷媒循環手段との間を循環する冷媒の温度の推移を予測し、この予測の結果に応じて、前記冷媒循環手段による冷媒の循環を停止する時期を設定することを特徴とする還元剤供給装置。
【請求項１２】
請求項１ないし請求項１１のいずれか１つに記載の還元剤供給装置において、
冷媒は、還元剤であって前記タンクに貯留され、
前記冷媒循環手段は、前記還元剤供給ポンプであることを特徴とする還元剤供給装置。
【請求項１３】
請求項１ないし請求項１１のいずれか１つに記載の還元剤供給装置において、
冷媒は、前記エンジンを冷却するためのエンジン冷却水であり、ラジエータに循環されて放熱され、
前記冷媒循環手段は、前記エンジンや前記ラジエータにエンジン冷却水を循環するウォーターポンプであることを特徴とする還元剤供給装置。
【発明の詳細な説明】
【技術分野】
【０００１】
本発明は、エンジンからの排ガスに還元剤を供給する還元剤供給装置に関する。
【背景技術】
【０００２】
従来から、エンジンからの排ガスに含まれる窒素酸化物（ＮＯｘ）を還元して浄化するために、排ガスに還元剤を供給する還元剤供給装置が公知である。この還元剤は、例えば、尿素水であり、尿素の分解により発生するアンモニア（ＮＨ３）が、触媒によりＮＯｘと反応して無害な窒素（Ｎ２）や水（Ｈ２Ｏ）を生成することで、ＮＯｘが浄化される。
【０００３】
ところで、この還元剤供給装置には、還元剤を噴射する還元剤添加弁が、排気管に直接装着されるものがあり、このような還元剤供給装置では、噴射孔を含む還元剤添加弁の先端部が排気管の内部に突出する。そして、還元剤は、直接、排ガスが通る排気管に噴射され、排気ガスと混合した後に触媒に導かれる。
【０００４】
このため、エンジン運転中の還元剤添加弁は、先端部が高温の排ガスに曝されて加熱され、さらに、排ガスからの受熱により高温になる管壁からも熱伝達される。そこで、還元剤添加弁に冷媒が流動するジャケットを設け、このジャケットに冷媒を循環させることで、還元剤添加弁を冷却している（例えば、特許文献１参照）。
【０００５】
しかし、エンジンの停止に伴い冷媒の循環も停止されるため、管壁の余熱によりジャケットに滞留する冷媒が気化したり、化学変化を起こして変性したりする虞がある。特に、還元剤としての尿素水を冷媒に利用する場合、水分の気化および尿素の析出に続き、尿素樹脂の合成およびその劣化が進行し、デポジットが生成する可能性があり、さらに、冷媒循環路での気泡の残留、ジャケットの閉塞、および冷却能力の低下等の問題が生じる虞がある。
【特許文献１】特表２００２−５０３７８３号公報
【発明の開示】
【発明が解決しようとする課題】
【０００６】
本発明は、上記の問題点を解決するためになされたものであり、その目的は、還元剤供給装置において、エンジン停止後の還元剤添加弁の温度上昇を抑制し、冷媒の気化、変性を回避することにある。
【課題を解決するための手段】
【０００７】
〔請求項１の手段〕
請求項１に記載の還元剤供給装置は、エンジンからの排ガスに還元剤を供給するものである。そして、この還元剤供給装置は、所定のタンクから還元剤を吸引して吐出する還元剤供給ポンプと、排ガスが通る排気管に装着され、還元剤供給ポンプから吐出された還元剤を排気管の内部に噴射するとともに、冷媒による冷却を受ける還元剤添加弁と、還元剤添加弁に冷媒を循環する冷媒循環手段と、エンジンの停止後の所定の期間に、冷媒循環手段を作動させて制御する制御手段とを備える。
【０００８】
これにより、エンジン停止後も、低温の冷媒がジャケットに流入することができるとともに、高温になった冷媒がジャケットから流出することができる。このため、還元剤供給装置において、エンジン停止後の還元剤添加弁の温度上昇を抑制し、冷媒の気化、変性を回避することができる。
【０００９】
〔請求項２の手段〕
請求項２に記載の還元剤供給装置は、還元剤添加弁と冷媒循環手段との間を循環する冷媒の温度を検出する冷媒温度検出手段を備え、制御手段は、エンジンの停止後に冷媒温度検出手段から得られる検出値に基づいて、冷媒循環手段による冷媒の循環を停止する。
これにより、冷媒の気化、変性に影響が大きい冷媒の温度に基づいて、冷媒の循環を停止することができる。このため、還元剤供給装置において、エンジン停止後の冷媒の気化、変性の防止に対する信頼性を高めることができる。
【００１０】
なお、「冷媒の循環を停止する」とは、次にエンジンを起動するまで冷媒循環手段を作動させないことを条件に冷媒循環手段の作動を停止すること、を意味するものとする。よって、冷媒循環手段を一時的に作動停止して、再度、冷媒循環手段を作動させる場合には、「冷媒の循環を停止する」ことに該当しないものとする。
【００１１】
〔請求項３の手段〕
請求項３に記載の還元剤供給装置によれば、冷媒温度検出手段は、還元剤添加弁の出側の循環路で冷媒の温度を検出する。
これにより、冷媒の循環路の内で最も冷媒温度が高く、冷媒の気化、変性が最も発生しやすいと考えられる部位、すなわち、還元剤添加弁のジャケットの冷媒温度を推定して、制御上の演算に利用することができる。このため、エンジン停止後の限られた電力供給条件のもとで、冷媒循環手段を効率的に作動させるための制御が可能になる。
【００１２】
〔請求項４の手段〕
請求項４に記載の還元剤供給装置によれば、制御手段は、冷媒温度検出手段から得られる検出値が所定の目標値よりも低くなったら、冷媒循環手段による冷媒の循環を停止する。
これにより、目標値を充分に低い値に設定すれば、冷媒循環停止後に管壁から冷媒への熱伝達が続いても、冷媒が気化、変性する温度まで昇温するのを防止できる。
【００１３】
〔請求項５の手段〕
請求項５に記載の還元剤供給装置によれば、制御手段は、冷媒温度検出手段から得られる検出値が所定の目標値に略一致するように、冷媒循環手段による冷媒の循環を制御する。
これにより、目標値を充分に低い値に設定しなくても、適宜、冷媒循環手段の作動と作動停止とが繰り返されたり、冷媒の循環量が可変されたりして、冷媒の温度は目標値に近づく。このため、冷媒循環停止後の管壁から冷媒への熱伝達を考慮して厳密に目標値を設定する必要がなくなる。
【００１４】
〔請求項６の手段〕
請求項６に記載の還元剤供給装置は、還元剤添加弁と冷媒循環手段との間を循環する冷媒の温度を検出する冷媒温度検出手段を備え、制御手段は、冷媒温度検出手段から得られる検出値に基づいてエンジンの停止後に冷媒循環手段による冷媒の循環を停止する時期を設定する。
これにより、冷媒の気化、変性に影響が大きい冷媒の温度に基づいて、冷媒の循環を停止する時期を設定することができる。このため、冷媒循環停止後に管壁から冷媒への熱伝達が続いても、冷媒が気化、変性する温度まで昇温するのを防止できる。
【００１５】
〔請求項７の手段〕
請求項７に記載の還元剤供給装置は、制御手段は、冷媒温度検出手段から得られる少なくとも２つの検出値に基づいて検出値の推移を予測し、予測の結果に応じて冷媒循環手段による冷媒の循環を停止する時期を設定する。
これにより、冷媒の温度の推移予測に基づいて冷媒の循環を停止する時期を設定することができる。このため、還元剤供給装置において、エンジン停止後の冷媒の気化、変性の防止に対する信頼性を高めることができる。
【００１６】
〔請求項８の手段〕
請求項８に記載の還元剤供給装置によれば、冷媒温度検出手段から得られる検出値の推移を予測する際に用いる検出値の少なくとも１つは、エンジンの停止前の検出値である。
これにより、冷媒の温度の推移予測の精度が高まるので、還元剤供給装置において、エンジン停止後の冷媒の気化、変性の防止に対する信頼性をさらに高めることができる。
【００１７】
〔請求項９の手段〕
請求項９に記載の還元剤供給装置によれば、冷媒温度検出手段は、還元剤添加弁の出側の循環路で冷媒の温度を検出する。
これにより、請求項３の手段と同様の効果を得ることができる。
【００１８】
〔請求項１０の手段〕
請求項１０に記載の還元剤供給装置は、エンジンの回転数を検出するエンジン回転数検出手段と、エンジンに供給される空気量を検出する空気量検出手段とを備える。そして、制御手段は、エンジン回転数検出手段から得られる検出値、および空気量検出手段から得られる検出値に基づいて、エンジンの停止後に還元剤添加弁と冷媒循環手段との間を循環する冷媒の温度の推移を予測し、予測の結果に応じて、冷媒循環手段による冷媒の循環を停止する時期を設定する。
【００１９】
これにより、冷媒の温度の推移予測に必要な因子を検出するために、既存のエンジン回転数検出手段および空気量検出手段を利用することができる。このため、還元剤供給装置に、新規の検出手段を装備することなく、冷媒の温度の推移を予測することができる。
【００２０】
〔請求項１１の手段〕
請求項１１に記載の還元剤供給装置は、冷媒による還元剤添加弁からの除熱量を検出する除熱量検出手段を備える。そして、制御手段は、除熱量検出手段から得られる検出値に基づいて、エンジンの停止後に還元剤添加弁と冷媒循環手段との間を循環する冷媒の温度の推移を予測し、予測の結果に応じて、冷媒循環手段による冷媒の循環を停止する時期を設定する。
これにより、冷媒による除熱量の実績に基づいて、冷媒の温度の推移を予測することができる。このため、冷媒の温度の推移予測の精度が高まるので、還元剤供給装置において、エンジン停止後の冷媒の気化、変性の防止に対する信頼性を高めることができる。
【００２１】
〔請求項１２の手段〕
請求項１２に記載の還元剤供給装置によれば、冷媒は、還元剤であってタンクに貯留され、冷媒循環手段は、還元剤供給ポンプである。
【００２２】
〔請求項１３の手段〕
請求項１３に記載の還元剤供給装置によれば、冷媒は、エンジンを冷却するためのエンジン冷却水であり、ラジエータに循環されて放熱され、冷媒循環手段は、エンジンやラジエータにエンジン冷却水を循環するウォーターポンプである。
【発明を実施するための最良の形態】
【００２３】
最良の形態１の還元剤供給装置は、エンジンからの排ガスに還元剤を供給するものである。そして、この還元剤供給装置は、所定のタンクから還元剤を吸引して吐出する還元剤供給ポンプと、排ガスが通る排気管に装着され、還元剤供給ポンプから吐出された還元剤を排気管の内部に噴射するとともに、冷媒による冷却を受ける還元剤添加弁と、還元剤添加弁に冷媒を循環する冷媒循環手段と、エンジンの停止後の所定の期間に、冷媒循環手段を作動させて制御する制御手段とを備える。
【００２４】
また、この還元剤供給装置は、還元剤添加弁と冷媒循環手段との間を循環する冷媒の温度を検出する冷媒温度検出手段を備え、制御手段は、エンジンの停止後に冷媒温度検出手段から得られる検出値に基づいて、冷媒循環手段による冷媒の循環を停止する。そして、冷媒温度検出手段は、還元剤添加弁の出側の循環路で冷媒の温度を検出し、制御手段は、冷媒温度検出手段から得られる検出値が所定の目標値よりも低くなったら、冷媒循環手段による冷媒の循環を停止する。なお、冷媒は、還元剤であってタンクに貯留され、冷媒循環手段は、還元剤供給ポンプである。
【実施例１】
【００２５】
〔実施例１の構成〕
実施例１の還元剤供給装置１の構成を、図１を用いて説明する。
還元剤供給装置１は、エンジンからの排ガスに還元剤を供給するものであり、排ガスに含まれる窒素酸化物（ＮＯｘ）を還元して浄化する。還元剤は、例えば、尿素水であり、尿素の分解により発生するアンモニア（ＮＨ３）が、触媒によりＮＯｘと反応して無害な窒素（Ｎ２）や水（Ｈ２Ｏ）を生成することで、ＮＯｘが浄化される。
【００２６】
還元剤供給装置１は、所定のタンク２から還元剤を吸引して吐出する還元剤供給ポンプ３と、還元剤供給ポンプ３から吐出された還元剤を排気管４の内部に噴射する還元剤添加弁５と、還元剤供給ポンプ３および還元剤添加弁５の作動を制御する電子制御装置（ＥＣＵ）６とを備える。
【００２７】
還元剤供給ポンプ３は、例えば、永久磁石が装着されたロータとコイルが巻線されたステータとを有し、永久磁石による磁界とコイルに通電される電流との相互作用によりトルクを発生するブラシレスモータ（図示せず）をアクチュエータとする。そして、ＥＣＵ６は、コイルへの通電を制御することで、ブラシレスモータの回転数を可変して還元剤の吐出量を操作する。なお、還元剤供給ポンプ３による還元剤の吐出圧は、レギュレータ９により規制されている。
【００２８】
還元剤添加弁５は、排ガスが通る排気管４に装着され、噴射孔を含む先端部１１は、排気管４の内部に突出する。そして、還元剤は、フィルタ１２を経由する流路１３により還元剤供給ポンプ３から還元剤添加弁５まで導かれ、直接、排気管４に噴射される。そして、噴射された還元剤は、排ガスと混合した後に触媒に導かれ、上記のようにＮＯｘを浄化する。また、先端部１１には、冷媒が流動するジャケット１４が設けられ、ジャケット１４に冷媒が循環することで還元剤添加弁５が冷却される。
【００２９】
すなわち、先端部１１は、エンジン運転中、高温の排ガスに曝されて加熱され、さらに、排ガスからの受熱により高温になる管壁からも熱伝達される。そこで、先端部１１にジャケット１４を設けて、ジャケット１４に冷媒を循環させることで、排ガスから直接的に伝わる熱、および管壁を経由して伝わる熱を除去している。
【００３０】
なお、冷媒は、還元剤であってタンク２に貯留され、還元剤供給ポンプ３により吐出され、フィルタ１２から還元剤添加弁５に向かう流路１３から分岐する流路１６によりジャケット１４に導かれる（すなわち、還元剤供給ポンプ３は、還元剤添加弁５に冷媒を循環する冷媒循環手段としての機能を具備する）。そして、ジャケット１４で高温になった冷媒は、ジャケット１４からタンク２への戻り流路１７を通ってタンク２に戻される。
【００３１】
ＥＣＵ６は、制御機能および演算機能を発揮するＣＰＵ、ＲＯＭおよびＲＡＭ等の記憶装置、入力装置ならびに出力装置等により構成される周知のマイクロコンピュータであり、エンジンの運転状態に応じて、各種の機器のアクチュエータに指令して機器の駆動制御を行うものである。すなわち、ＥＣＵ６は、還元剤供給ポンプ３および還元剤添加弁５等の動作を制御する制御手段として機能する。
【００３２】
また、還元剤供給装置１は、還元剤添加弁５と還元剤供給ポンプ３との間を循環する冷媒の温度を検出する冷媒温度検出手段として周知の温度センサ１９を備える。温度センサ１９は、戻り流路１７に装着され、ジャケット１４からタンク２に戻る冷媒（還元剤）の温度に応じた検出信号をＥＣＵ６に出力する。つまり、温度センサ１９は、還元剤添加弁５の出側の循環路である戻り流路１７の冷媒の温度を検出する。
【００３３】
また、ＥＣＵ６は、エンジン停止後も、還元剤供給ポンプ３に冷媒を循環させて還元剤添加弁５を冷却し、温度センサ１９から得られる検出値（つまり、ジャケット１４の出側の冷媒温度）に基づいて還元剤供給ポンプ３による冷媒の循環を停止する。すなわち、ＥＣＵ６は、温度センサ１９から得られる検出値が所定の目標値よりも低くなったら、還元剤供給ポンプ３の作動を停止して冷媒の循環を停止する。
【００３４】
ここで、ＥＣＵ６が記憶する目標値とは、例えば、冷媒循環停止後にジャケット１４に滞留する冷媒に管壁から熱伝達されても、この冷媒が気化、変性する温度まで昇温するのを阻止できる程度に充分に低い温度である。なお、冷媒としての還元剤が尿素水の場合、尿素水の昇温が続くと、水分の気化および尿素の析出に続き、尿素樹脂の合成およびその劣化が進行し、デポジットが生成する可能性がある。そして、目標値は、少なくとも、尿素水の沸点よりも低い温度に設定される。
【００３５】
〔実施例１の制御方法〕
実施例１の還元剤供給装置１のＥＣＵ６による制御方法を、図２を用いて説明する。
まず、ステップＳ１でエンジンが停止しているか否かを判断する。そして、エンジンが停止していると判断すれば（ＹＥＳ）、ステップＳ２に進み、エンジンが停止していないと判断すれば（ＮＯ）、この制御フローを終了する。
【００３６】
次に、ステップＳ２で温度センサ１９の検出値を取得し、ステップＳ３で取得した検出値が目標値よりも低いか否かを判断する。そして、検出値が目標値よりも低いと判断すれば、ステップＳ４に進んで冷媒の循環を停止し、検出値が目標値よりも低くないと判断すれば（ＮＯ）、この制御フローを終了する。
【００３７】
〔実施例１の効果〕
実施例１の還元剤供給装置１のＥＣＵ６は、エンジン停止後も、還元剤供給ポンプ３を作動させてジャケット１４に冷媒を供給させ、還元剤添加弁５を冷却する。
これにより、エンジン停止後も、低温の冷媒がジャケット１４に流入することができるとともに、高温になった冷媒がジャケット１４から流出することができる。このため、還元剤供給装置１において、エンジン停止後の還元剤添加弁５の温度上昇を抑制し、冷媒の気化、変性を回避することができる。
【００３８】
また、還元剤供給装置１は、還元剤添加弁５と冷媒循環手段（還元剤供給ポンプ３）との間を循環する冷媒の温度を検出する冷媒温度検出手段としての温度センサ１９を備え、ＥＣＵ６は、エンジンの停止後に温度センサ１９から得られる検出値に基づいて、還元剤供給ポンプ３の作動を止めて冷媒の循環を停止する。
これにより、冷媒の気化、変性に影響が大きい冷媒の温度に基づいて、冷媒の循環を停止することができる。このため、還元剤供給装置１において、エンジン停止後の冷媒の気化、変性の防止に対する信頼性を高めることができる。なお、「冷媒の循環を停止する」の意味は、上記と同様である。
【００３９】
また、温度センサ１９は、還元剤添加弁５の出側の循環路である戻り流路１７の冷媒の温度を検出する。
これにより、冷媒の循環路の内で最も冷媒温度が高く、冷媒の気化、変性が最も発生しやすいと考えられる部位、すなわち、ジャケット１４の冷媒温度を推定して、制御上の演算に利用することができる。このため、エンジン停止後の限られた電力供給条件のもとで、還元剤供給ポンプ３を冷媒循環手段として効率的に作動させるための制御が可能になる。
【００４０】
また、ＥＣＵ６は、温度センサ１９から得られる検出値が所定の目標値よりも低くなったら、還元剤供給ポンプ３の作動を止めて冷媒の循環を停止する。また、目標値は、冷媒循環停止後にジャケット１４に滞留する冷媒に管壁から熱伝達されても、この冷媒が気化、変性する温度まで昇温するのを阻止できる程度に充分に低い温度に設定されている。
これにより、冷媒循環停止後に管壁から冷媒への熱伝達が続いても、冷媒が気化、変性する温度まで昇温するのを防止できる。
【００４１】
〔変形例〕
実施例１の還元剤供給装置１によれば、ＥＣＵ６は、温度センサ１９から得られる検出値が目標値よりも低くなったら、還元剤供給ポンプ３の作動を停止して冷媒の循環を停止するが、検出値が目標値に略一致するように、還元剤供給ポンプ３の作動を制御してもよい。
これにより、目標値を充分に低い値に設定しなくても、適宜、還元剤供給ポンプ３が作動と作動停止とを繰り返したり、冷媒の吐出量が可変されたりして、冷媒の温度は目標値に近づく。このため、冷媒循環停止後の管壁から冷媒への熱伝達を考慮して厳密に目標値を設定する必要がなくなる。
【００４２】
また、エンジン停止後に冷媒の循環を停止する時期を予め設定しておき、設定した時期が到来したら強制的に冷媒の循環を停止するようにしてもよい。
この場合、冷媒の循環を停止する時期を、エンジン停止時から充分に遅れるように設定すれば、冷媒循環停止後に管壁から冷媒への熱伝達が続いても、冷媒が気化、変性する温度まで昇温するのを防止できる。
【００４３】
そして、設定した時期の到来とともに強制的に冷媒の循環を停止する場合、停止の時期を設定する際に、温度センサ１９から得られる２つ以上の検出値に基づいて検出値の推移を予測し、予測の結果に応じて停止の時期を設定してもよい。
これにより、冷媒の気化、変性に影響が大きい冷媒の温度の推移予測に基づいて、冷媒の循環を停止する時期を設定することができる。このため、還元剤供給装置１において、エンジン停止後の冷媒の気化、変性の防止に対する信頼性を高めることができる。
【００４４】
さらに、得られた検出値に基づいて検出値の推移を予測する際に、エンジン停止後の検出値とともにエンジン停止前の検出値を用いてもよい。
これにより、冷媒の温度の推移予測の精度が高まるので、還元剤供給装置１において、エンジン停止後の冷媒の気化、変性の防止に対する信頼性をさらに高めることができる。
【００４５】
また、エンジン停止前に得られたエンジン回転数の検出値および空気量の検出値に基づいてエンジン停止後の冷媒の温度の推移を予測し、予測の結果に応じて冷媒の循環を停止する時期を設定してもよい。
これにより、冷媒の温度の推移予測に必要な因子を検出するために、既存のエンジン回転数センサや空気量センサ等を利用することができる。このため、還元剤供給装置１に、新規のセンサを装備することなく、冷媒の温度の推移を予測することができる。
【００４６】
また、還元剤供給装置１に、冷媒による還元剤添加弁５からの除熱量を検出する熱量センサを装備し、熱量センサから得られる検出値に基づいて冷媒の温度の推移を予測し、予測の結果に応じて冷媒の循環を停止する時期を設定してもよい。
これにより、冷媒による除熱量の実績に基づいて、冷媒の温度の推移を予測することができる。このため、冷媒の温度の推移予測の精度が高まるので、還元剤供給装置１において、エンジン停止後の冷媒の気化、変性の防止に対する信頼性を高めることができる。
【００４７】
また、実施例１の冷媒は還元剤であったが、冷媒として、エンジンを冷却するためのエンジン冷却水を用い、還元剤添加弁５から冷媒に伝達された熱をラジエータで放熱するようにしてもよい。この場合、冷媒循環手段は、エンジンやラジエータにエンジン冷却水を循環するウォーターポンプである。
【００４８】
また、実施例１の冷媒循環手段は、還元剤供給ポンプ３であったが、還元剤供給ポンプ３とは別のポンプ等により、冷媒としての還元剤をジャケット１４に循環するようにしてもよい。
また、実施例１の温度センサ１９は、戻り流路１７に装着され、ジャケット１４からタンク２に戻る冷媒（還元剤）の温度を検出するものであったが、温度センサ１９をタンク２内に装着してタンク２の還元剤の温度を検出したり、温度センサ１９を流路１３または流路１６に装着して還元剤供給ポンプ３から吐出されジャケット１４に入る前の冷媒の温度を検出したりするようにしてもよい。
【００４９】
なお、設定した時期に冷媒の循環を停止する場合、冷媒循環手段をエンジン停止前からエンジン停止後において継続作動させた後に作動停止させて冷媒の循環を停止してもよく、冷媒循環手段をエンジン停止時以降において、一旦、作動停止させ、再度作動開始させた後に作動停止させて冷媒の循環を停止してもよい。
【００５０】
そして、冷媒循環手段をエンジン停止時以降において、一旦、作動停止させる場合、一時的な作動停止期間における冷媒の温度の推移を把握し、把握した推移に基づいて冷媒の循環を停止する時期を設定してもよい。つまり、エンジン停止後に冷媒が循環していない状態を意図的に実現し、冷媒が循環していないときの冷媒の温度推移を把握するようにしてもよい。
【図面の簡単な説明】
【００５１】
【図１】還元剤供給装置の構成図である。
【図２】還元剤供給装置による制御方法を示すフローチャートである。
【符号の説明】
【００５２】
１  還元剤供給装置
２  タンク
３  還元剤供給ポンプ（冷媒循環手段）
４  排気管
５  還元剤添加弁
６  ＥＣＵ（制御手段）
１７  戻り流路（還元剤添加弁の出側の循環路）
１９  温度センサ（冷媒温度検出手段）
【図１】
2008169711.tif 000003
【図２】
2008169711.tif 000004